(57)【要約】【課題】  固形有機物を含む有機廃液を、支障なく十分に酸化分解し、低コスト、短時間で、環境に負荷を与えることなく無害に処理できる、固形有機物を含む有機廃液の酸化分解処理装置および酸化分解処理方法。【解決手段】  固形有機物を含む有機廃液が連続的に供給されるとともに酸素または空気が供給され、亜臨界状態で固形有機物を含む有機廃液を湿式酸化分解するとともに有機廃液を固形有機物が可溶化した中間生成物に変換する反応塔と、反応塔の下流側に直列に接続し酸素または空気が供給され亜臨界状態で反応塔から送り込まれた中間生成物を触媒により無機化する触媒塔とを備え、反応塔に供給される固形有機物を含む有機廃液の固形有機物を磨砕して微粒子化する磨砕装置を反応塔の上流側に備えてなることを特徴とする固形有機物を含む有機廃液の酸化分解処理装置、および同装置による酸化分解処理方法。【選択図】            図１
2006231120.tif 000002
【特許請求の範囲】
【請求項１】
固形有機物を含む有機廃液が連続的に供給されるとともに酸素または空気が供給され、亜臨界状態で前記固形有機物を含む有機廃液を湿式酸化分解するとともに前記有機廃液を前記固形有機物が可溶化した中間生成物に変換する反応塔と、同反応塔の下流側に直列に接続し酸素または空気が供給され同亜臨界状態で前記反応塔から送り込まれた前記中間生成物を触媒により無機化する触媒塔とを備え、前記反応塔に供給される前記固形有機物を含む有機廃液の固形有機物を磨砕して微粒子化する磨砕装置を前記反応塔の上流側に備えてなることを特徴とする固形有機物を含む有機廃液の酸化分解処理装置。
【請求項２】
請求項１に記載の固形有機物を含む有機廃液の酸化分解処理装置において、前記亜臨界状態は略、３１０℃、１４ＭＰａであることを特徴とする固形有機物を含む有機廃液の酸化分解処理装置。
【請求項３】
請求項１または請求項２に記載の固形有機物を含む有機廃液の酸化分解処理装置において、前記磨砕装置は前記固形有機物を粒度１００μｍから１０μｍに磨砕するものであることを特徴とする固形有機物を含む有機廃液の酸化分解処理装置。
【請求項４】
請求項１ないし請求項３のいずれかに記載の固形有機物を含む有機廃液の酸化分解処理装置を用いて、固形有機物を含む有機廃液を磨砕したのち前記反応塔に供給し、酸素または空気を添加し亜臨界状態で前記有機廃液を酸化分解して可溶化した中間生成物とし、前記触媒塔で酸素または空気を添加し亜臨界状態で前記中間生成物を前記触媒により無機化することを特徴とする固形有機物を含む有機廃液の酸化分解処理方法。
【発明の詳細な説明】
【技術分野】
【０００１】
本発明は、固形有機物を含む有機廃液を、低コスト、短時間で、環境に負荷を与えることなく無害に処理する酸化分解処理装置および酸化分解処理方法に関する。
【背景技術】
【０００２】
従来、一般に食品工業廃水等、動植物由来の有機物、バイオマス有機物としての固形有機物を含む有機廃液は、農地還元（畑地散布）、濃縮・乾燥の後に家畜飼料化、メタン発酵によるエネルギー回収、海洋投棄などにより処理されることが多かった。特に、酒類製造廃液等は処理量が多量であり、就中、焼酎廃液はそのような処理に適していた。
【０００３】
しかし、農地還元は、需給バランスがとれず、二次汚染の心配があること、家畜飼料化は、濃縮・乾燥のための設備・処理コストが高いこと、メタン発酵は、メタン発酵のための処理設備が大規模で、設備費用が大きく、バイオのため運転が不安定なこと、海洋投棄は、将来的には海洋投棄禁止の方向にあること、などの問題があるため、近年、新たな処理方法、処理装置が求められている。
【０００４】
そこで、例えば、特開２００３−２９０７３８公報（特許文献１）に示されるような有機廃棄物及び有機廃水の処理システムが提案されており、再利用も行うものとしている。その記載されている概要を、図２の構成概要図に基づき以下説明する。
【０００５】
図２において、１０１は破砕機であり、高速で回転し、有機廃棄物を裁断するカッター（刃）と、攪拌機を備えている。１０４は筒状の密閉式高圧容器からなる分解炉であり、外殻には、電気ヒーターを利用した加熱手段が設けられている。１０５は分解炉１０４と同様の筒状の密閉式高圧容器からなり、チタニア及びアルミナに、ルテニウム、パラジウムなどの貴金属を担持した触媒、または白金、ゼオライトのような触媒が充填されている触媒炉である。
【０００６】
１０８は、炭酸ガスを選択的に吸着するゼオライトを封入した吸着塔等から構成される炭酸ガス濃縮装置である。１０９は、触媒（ルテニウム触媒）を封入した反応管、ヒーター等から構成される炭酸ガス還元装置である。１１０は、金属イオン成分（陽イオン成分）と無機栄養塩類（陰イオン成分）を除去あるいはその濃度を低減するためのゼオライトが封入された吸着塔などから構成される不純物吸着装置である。１１１は、ポリアミド重合膜とポリスルホンの膜からなるフィルタ（逆浸透膜）を備える高度浄水装置である。１１４は、メタンガスを燃料に発電する発電装置である。１１５は、水耕栽培により野菜や果樹などを生産する植物工場的な植物栽培装置等である。分解炉１０４、触媒炉１０５、炭酸ガス還元装置１０８はヒートポンプなどからなる廃熱回収システムに接続されており、回収された熱は熱交換器１０３において再利用される。
【０００７】
なお、システムは、この他にも高圧圧送ポンプ１０２や、空気添加装置１０６、背圧バルブ１０７、気液分離装置１１３などを備える。
【０００８】
このようにして構成されたシステムによって、有機廃棄物及び有機廃水を処理し、再利用する主な工程は概略以下のように提案されている。
【０００９】
（１）破砕工程：
有機廃棄物及び有機廃水は、破砕機１０１に投入され、カッターで裁断され攪拌機で混合されたのちスラリー状にされ、高圧圧送ポンプ１０２を用いてバルブ１１２経由、熱交換器１０３に送り込まれ、熱交換器１０３によって予熱されたのち、分解炉１０４に送り込まれる。
【００１０】
（２）酸化分解工程：
送り込まれたスラリー状物質は、分解炉１０４で酸化効率を高めるために空気添加装置１０６（あるいは酸素供給装置）により所定量の空気（酸素でもよい）が添加されるとともに、高温（２５０〜３００℃）に加熱され、含有する有機物が酸化分解されて、炭酸ガスと分解できなかった少量の有機物とを含有する水溶液とからなる中間生成物に変換される。そして、炭酸ガスと分解できなかった少量の有機物を含む水溶液は、互いに交じり合った混合溶液として、高圧圧送ポンプ１０２の圧力により連続的に触媒炉５に送られる。なお、分解炉１０４で生じた廃熱は熱交換器１０３により回収される。
【００１１】
（３）無機化工程：
触媒炉１０５に流入した混合水溶液に含まれる有機物は、空気添加装置１０６（あるいは酸素供給装置）を用いて触媒に循環接触されてさらに酸化分解され、混合溶液は水、炭酸ガス、窒素ガス等に分解されて完全に無機化される。そして、無機化された水溶液は、熱交換器１０３を経て背圧バルブ１０７で降圧されて気液分離器１１３に導入され、水溶液と炭酸ガスに分離され、それぞれ、不純物吸着装置１１０、炭酸ガス濃縮装置１０８に送り込まれる。なお、触媒炉１０５で生じた廃熱は熱交換器１０３により回収される。背圧バルブ１０７は、分解炉１０４、触媒炉１０５内を所定の高圧に維持するものである。
【００１２】
（４）浄水工程：
無機化された水溶液は、不純物吸着装置１１０によって、陰電荷に帯電したゼオライトによって金属成分（陽イオン）が一定量除去されるとともに、陽電荷に帯電したゼオライトによって無機栄養塩類（陰イオン）が一定量取り除かれ、浄水として高度浄水装置１１１に送り込まれる。
【００１３】
（５）再利用工程：
気液分離装置１１３で水溶液と分離された炭酸ガスは、炭酸ガス濃縮装置１０８による吸着と分離によって分離濃縮され、炭酸ガス還元装置１０９に送り込まれて水素ガスを加えられたのち、還元されてメタンガスと水に転換される。そして、メタンガスは燃料として発電装置１１４に送り込まれる。また、発電装置１１４から生じた炭酸ガスは、植物工場の植物栽培装置１１５に送り込まれ、光合成によって植物の成長に利用される。植物栽培装置１１５では不純物吸着装置１１０で回収した無機栄養塩類も肥料として再利用できる。
【００１４】
【特許文献１】特開２００３−２９０７３８公報（第３〜５頁、図１）
【発明の開示】
【発明が解決しようとする課題】
【００１５】
図２に示すように、有機廃棄物及び有機廃水の処理システムの基本的な考え方の例は従来示されているが、食品工業廃水等、動植物由来の有機物、バイオマス有機物としての固形有機物を含む有機廃液、特に、焼酎廃液のような酒類製造廃液を、低コスト、短時間で、環境に負荷を与えることなく無害に処理するには、まだ解決されなければならない問題が多かった。特に、分解炉１０４と触媒炉１０５で、湿式酸化分解処理を行おうとした場合、有機廃液中の固形分を単にカッターなどで裁断して混合し、スラリー化して分解炉１０４に投入した場合、分解炉１０４中で固形有機物が炭化粒子となって分解炉内に沈殿堆積し、あるいは下流の触媒炉１０５に流れて触媒の表面を覆い触媒を劣化し、湿式酸化分解処理が十分行えなくなることがあった。
【００１６】
本発明は、固形有機物を含む有機廃液を、支障なく十分に酸化分解し、低コスト、短時間で、環境に負荷を与えることなく無害に処理できる、固形有機物を含む有機廃液の酸化分解処理装置および酸化分解処理方法を提供することを課題とするものである。
【課題を解決するための手段】
【００１７】
本発明は、上記の課題を解決するためになされ、下記の（１）から（４）の手段を提供するものであり、以下、特許請求の範囲に記載の順に説明する。
【００１８】
（１）その第１の手段として、固形有機物を含む有機廃液が連続的に供給されるとともに酸素または空気が供給され、亜臨界状態で前記固形有機物を含む有機廃液を湿式酸化分解するとともに前記有機廃液を前記固形有機物が可溶化した中間生成物に変換する反応塔と、同反応塔の下流側に直列に接続し酸素または空気が供給され同亜臨界状態で前記反応塔から送り込まれた前記中間生成物を触媒により無機化する触媒塔とを備え、前記反応塔に供給される前記固形有機物を含む有機廃液の固形有機物を磨砕して微粒子化する磨砕装置を前記反応塔の上流側に備えてなることを特徴とする固形有機物を含む有機廃液の酸化分解処理装置を提供する。
【００１９】
（２）第２の手段としては、第１の手段の固形有機物を含む有機廃液の酸化分解処理装置において、前記亜臨界状態は略、３１０℃、１４ＭＰａであることを特徴とする固形有機物を含む有機廃液の酸化分解処理装置を提供する。
【００２０】
（３）第３の手段として、第１の手段または第２の手段の固形有機物を含む有機廃液の酸化分解処理装置において、前記磨砕装置は前記固形有機物を粒度１００μｍから１０μｍに磨砕するものであることを特徴とする固形有機物を含む有機廃液の酸化分解処理装置を提供する。
【００２１】
（４）第４の手段として、第１の手段ないし第３の手段のいずれかの固形有機物を含む有機廃液の酸化分解処理装置を用いて、固形有機物を含む有機廃液を磨砕したのち前記反応塔に供給し、酸素または空気を添加し亜臨界状態で前記有機廃液を酸化分解して可溶化した中間生成物とし、前記触媒塔で酸素または空気を添加し亜臨界状態で前記中間生成物を前記触媒により無機化することを特徴とする固形有機物を含む有機廃液の酸化分解処理方法を提供する。
【発明の効果】
【００２２】
（１）特許請求の範囲に記載の請求項１の発明によれば、固形有機物を含む有機廃液の酸化分解処理装置を上記第１の手段のように構成したので、処理対象の固形有機物を含む有機廃液を先ず磨砕機で処理して、固形有機物を微粒子に形成し、微粒子によるスラリーを形成したのち、亜臨界状態の反応塔、触媒塔で湿式酸化分解処理を行うため、有機物の炭化粒子の塔内の沈殿堆積を発生することが無く、触媒への炭化粒子の付着による触媒作用の劣化を起こすことが無く、亜臨界状態であることとあいまって湿式酸化分解を高効率で実施でき、固形有機物を含む有機廃液を、支障なく十分に酸化分解し、低コスト、短時間で、環境に負荷を与えることなく無害に処理できる装置となる。
【００２３】
（２）請求項２の発明によれば、固形有機物を含む有機廃液の酸化分解処理装置を上記第２の手段のように構成したので、請求項１の発明の作用効果に加え、酸化分解処理装置を構成する機器の設計条件が好ましく設定されるとともに反応条件として有利な亜臨界状態が得られる。
【００２４】
（３）請求項３の発明によれば、固形有機物を含む有機廃液の酸化分解処理装置を上記第３の手段のように構成したので、請求項１または請求項２の発明の作用効果に加え、固形有機物の上記微粒子化によって固形有機物の酸化分解と可溶化がより好ましくなされ、炭化粒子の塔内の沈殿堆積、触媒への炭化粒子の付着をより十分に防止できる。
【００２５】
（４）請求項４の発明によれば、固形有機物を含む有機廃液の酸化分解処理方法を上記第４の手段のように構成したので、処理対象の固形有機物を含む有機廃液を先ず磨砕機で処理して、固形有機物を微粒子に形成し、微粒子によるスラリーを形成したのち、亜臨界状態の反応塔、触媒塔で湿式酸化分解処理を行うため、有機物の炭化粒子の塔内の沈殿堆積を発生することが無く、触媒への炭化粒子の付着による触媒作用の劣化を起こすことが無く、亜臨界状態であることとあいまって湿式酸化分解を高効率で実施でき、固形有機物を含む有機廃液を、支障なく十分に酸化分解し、低コスト、短時間で、環境に負荷を与えることなく無害に処理できる方法となる。
【発明を実施するための最良の形態】
【００２６】
本発明を実施するための最良の形態として、以下に実施例１を説明する。
【実施例１】
【００２７】
図１に基づいて本発明の実施例１に係る、固形有機物を含む有機廃液の酸化分解処理装置および酸化分解処理方法を説明する。図１は本実施例の固形有機物を含む有機廃液の酸化分解処理装置の主要部構成概要図である。
【００２８】
図１において、１は磨砕機であり、処理対象である食品工業廃水等、動植物由来の有機物、バイオマス有機物としての固形有機物を含む有機廃液（以下「固形有機物含有有機廃液」という）ａ、例えば焼酎廃液等の酒類製造廃液が供給され、含有固形有機物を磨砕するものである。磨砕機１は、前述の従来例に示されたカッターを用いて裁断をおこなう粉砕機１０１等と異なり、磨砕により有機固形物をはるかに小さい粒度に形成するものであり、本実施例においては略１００μｍ以下〜１０μｍの粒度、好ましくは４０μｍ〜１０μｍの粒度に形成する。
【００２９】
磨砕機１で微細化された固形有機物を含む有機廃液はスラリーｂとなり、高圧スラリーポンプ２により略１４ＭＰａに昇圧され、熱交換器３により廃熱を回収し、あるいは別途の熱源により加熱され、反応塔４へ連続的に送り込まれる。したがって、磨砕機１と高圧スラリーポンプ２との間には連続供給のための図示しないフィードタンクを設けることが好ましい。
【００３０】
反応塔４には直列後流側に触媒塔５が接続され、両塔４、５の内部雰囲気は処理運転中は高温（３１０℃）、高圧（１４ＭＰａ）の亜臨界状態に維持される。触媒塔５の内部には、有機廃液の亜臨界状態での湿式酸化分解と無機化に、材質、触媒作用ともにより適したルテニウム、パラジウムなどによる触媒５ａが充填されている。触媒塔５の下流側には、圧力調整弁や絞り機構等による圧力調整装置７が接続し、上流側を１４ＭＰａの高圧に維持すると共に、触媒塔５を出た生成物ｄを降圧する。なお、触媒塔５と圧力調整装置７との間に生成物ｄの熱エネルギーを回収する熱交換器（例えば、前述の熱交換器３）を設けることが好ましい。
【００３１】
亜臨界状態は、高温、高圧条件のほうが反応条件としては有利であるが、酸化分解処理装置を構成する機器、特にその亜臨界状態に接する機器の材質等設計条件がより厳しくなり、反応性能と機器設計条件の兼ね合いから略３１０℃、１４ＭＰａが好ましい設定条件として選定される。
【００３２】
反応塔４、及び触媒塔５には、酸素供給装置６が接続し高圧下で酸素Ｏ２が供給されるように構成されており、両塔４、５内において固形有機物含有有機廃液ａは亜臨界水酸化反応による湿式酸化分解を受けて、触媒塔５の下流には完全に酸化分解されて無機化した炭酸ガスＣＯ２、窒素ガスＮ２、水Ｈ２Ｏを主成分とし、残余の酸素Ｏ２を含む生成物ｄが取り出される。
【００３３】
なお、酸素供給装置６に代えて空気供給装置を設け酸化作用に十分な酸素量となる空気を高圧下で供給してもよいが、本実施例においては、以下、酸素を供給する構成で説明する。空気を供給する場合は、生成物ｄ中には空気を構成する他の気体が含まれる。
【００３４】
本実施例は、図２に示した従来例の、破砕機１０１、高圧圧送ポンプ１０２、熱交換器１０３、分解炉１０４、触媒炉１０５、空気添加装置１０６、背圧バルブ１０７に対応する範囲の、本発明の構成を示すものであるが、本発明において図２のシステムのように、さらに周辺の処理装置、再生利用装置を加えることは適宜なされてよく、図１に図示の構成のみに限定されるものではない。
【００３５】
上記の本実施例の固形有機物を含む有機廃液の酸化分解処理装置による、酸化分解処理方法を説明する。
【００３６】
処理対象である固形有機物含有有機廃液ａは、磨砕機１に送り込まれ、固形有機物が磨砕手段により略１００μｍ〜１０μｍの粒度、好ましくは４０μｍ〜１０μｍの粒度の微粒子に形成され、微粒子によるスラリーｂを形成する。その後、濃度調製や成分調整のための水添加、アルカリ添加等がなされてもよい。
【００３７】
スラリーｂは、高圧スラリーポンプ２により略１４ＭＰａに昇圧され、熱交換器３により加熱され、例えば１８０℃で反応塔４へ連続的に送り込まれる。本実施例は、亜臨界水の酸化特性、溶解特性が高いことを積極的に利用するものであり、反応塔４内は、下流側の触媒塔５ともどもその下流に接続する圧力調整装置７の背圧により、略３１０℃、１４ＭＰａの高温高圧の亜臨界状態に維持され、酸素供給装置６から供給された酸素Ｏ２によって、固形有機物含有有機廃液ａのスラリーｂを湿式酸化分解し、有機物の約７０％が分解される。
【００３８】
スラリーａは反応塔４内で亜臨界状態の高温高圧で湿式酸化分解されるとともに固形物を可溶化された中間生成物ｃに変換され、しかる後、未分解有機物を含む中間生成物ｃとして触媒塔５に送られるが、触媒塔５内も略３１０℃、１４ＭＰａの高温高圧の亜臨界状態に維持され、酸素供給装置６から必要な酸素Ｏ２が供給され、ルテニウム、パラジウムなどによる触媒５ａに接触することにより、さらに触媒酸化反応を受ける。反応塔４を出た段階の中間生成物ｃは、有機、無機ともに完全に酸化分解されていない酢酸イオン、硝酸イオン、亜硝酸イオン等を含む状態であるが、触媒塔５内での触媒５ａを伴う湿式酸化分解によって、残り約３０％の有機物が略完全に酸化分解されて無機化され、また硝酸イオン、亜硝酸イオン等も低分子にまで完全に酸化分解されて、炭酸ガスＣＯ２、窒素ガスＮ２、水Ｈ２Ｏ、残余の酸素Ｏ２を主成分とする環境に無害な生成物ｄが得られる。
【００３９】
以上の湿式酸化分解処理において、特に最初にスラリーｂが導入される反応塔４においては、スラリーｂが略１００μｍ〜１０μｍの粒度の微粒子によるスラリーとなっているため、本実施例の亜臨界状態（略３１０℃、１４ＭＰａ）とあいまって、湿式酸化分解反応での固形分が殆ど残余することなく速やかに可溶化し、酸化分解が促進されたことが確認された。また、炭化粒子の沈殿堆積は認められなかった。
【００４０】
したがって、後続の触媒塔５で炭化粒子が触媒酸化反応を阻害するところも認められず、亜臨界状態での触媒作用により中間生成物ｃ中の残余の有機物は略完全に酸化分解して無機化され、触媒塔５を出る生成物ｄは、環境に無害な炭酸ガスＣＯ２、窒素ガスＮ２、水Ｈ２Ｏと、残余の酸素Ｏ２を主成分とするものとなった。
【００４１】
なお、両塔４、５内の亜臨界温度状態は、反応開始時期においては、適宜な加熱手段による外部からの両塔４、５の加熱、供給スラリーｂへの熱交換器３での加熱等で得る必要があるが、反応開始後は、反応塔４、触媒塔５内の酸化分解反応は発熱反応であるため、処理対象の固形有機物含有有機廃液ａの濃度、熱交換器３での熱回収を調整することで亜臨界温度条件を維持することができる。
【００４２】
以上のように、本実施例の固形有機物を含む有機廃液の酸化分解処理装置および酸化分解処理方法によれば、処理対象の固形有機物含有有機廃液を先ず磨砕機１で処理して、固形有機物を略１００μｍ〜１０μｍの粒度、好ましくは４０μｍ〜１０μｍの粒度の微粒子に形成し、微粒子によるスラリーｂを形成したのち、亜臨界状態の反応塔４、触媒塔５で湿式酸化分解処理を行うので、その微粒子化によって固形有機物の酸化分解と可溶化がより好ましくなされ、有機物の炭化粒子の塔内の沈殿堆積を発生することが無く、触媒への炭化粒子の付着による触媒作用の劣化を起こすことが無く、亜臨界状態であることとあいまって湿式酸化分解を高効率で実施でき、固形有機物を含む有機廃液を、支障なく十分に酸化分解し、低コスト、短時間で、環境に負荷を与えることなく無害に処理できる、固形有機物を含む有機廃液の酸化分解処理装置および酸化分解処理方法となる。
【００４３】
以上、本発明を図示の実施例について説明したが、本発明は上記の実施例に限定されず、本発明の範囲内でその具体的構造、構成に種々の変更を加えてよいことはいうまでもない。例えば、上述のように、酸素供給装置６からの酸素に代えて、空気を供給するように構成してもよい。
【図面の簡単な説明】
【００４４】
【図１】本発明の実施例１に係る固形有機物を含む有機廃液の酸化分解処理装置の主要部構成概要図である。
【図２】従来の有機廃棄物及び有機廃水の処理システムの構成概要図である。
【符号の説明】
【００４５】
１                  磨砕機
２                  高圧スラリーポンプ
３                  熱交換器
４                  反応塔
５                  触媒塔
５ａ                触媒
６                  酸素供給装置
７                  圧力調整装置
【図１】
2006231120.tif 000003
【図２】
2006231120.tif 000004